(57)【要約】      （修正有）【課題】家庭で簡単に、省スペースで生ごみを処理可能な生ごみ処理器の提供。【解決手段】生ごみ９０が投入される袋体１と、この袋体１を収容するボックス７とから構成される。袋体１は、不織布により巾着袋状に形成されており、その上部開口が紐３により開閉可能とされている。袋体１には、内部に微生物を含む菌床材５が入れられる。ボックス７は、上方にのみ開口する箱形状とされ、ボックス７には、この上部開口を塞ぐ蓋２３が開閉可能に設けられている。ボックス７は、台座３７に着脱可能に載せ置かれている。ボックス７、蓋２３および台座３７は、段ボールにより組立可能に構成されている。【選択図】図３
0003114732.tif 000002
【実用新案登録請求の範囲】
【請求項１】
生ごみとこの生ごみを分解する菌床材とが入れられる通気性を有した袋体と、
この袋体を出し入れ可能に収容する蓋付きボックスと
を備えたことを特徴とする生ごみ処理器。
【請求項２】
前記袋体は、不織布により形成されている
ことを特徴とする請求項１に記載の生ごみ処理器。
【請求項３】
前記ボックスは、紙で形成されており、
ボックス内部および外部は、防水加工が施されている
ことを特徴とする請求項１または請求項２に記載の生ごみ処理器。
【請求項４】
前記蓋付きボックスは、組立可能に段ボールで形成されている
ことを特徴とする請求項３に記載の生ごみ処理器。
【請求項５】
前記ボックスの蓋には、開口部が形成されており、この開口部は不織布にて塞がれている
ことを特徴とする請求項１から請求項４までのいずれかに記載の生ごみ処理器。
【請求項６】
前記ボックスは、台座に着脱可能に載せ置かれる
ことを特徴とする請求項１から請求項５までのいずれかに記載の生ごみ処理器。
【請求項７】
前記ボックスは、側壁と、この側壁の底部に設けられる底壁とから構成され、
前記側壁は、長方形状の紙片により筒状に形成されてなり、
前記底壁は、前記側壁の底部を塞ぐ紙片と、この紙片の外端辺から延出する取付片とからなり、
前記取付片が前記側壁の外面に固定されることで側壁と底壁とが一体化され、
前記側壁の上部開口を塞ぐ蓋が側壁に開閉可能に設けられ、
前記側壁の上端部には、帯状の紙製の補強材が巻着されており、
前記台座は、十字に配置される二つの基台から構成され、
各基台は、コ字形に屈曲された紙片が二つ組み合わされた長方形状の枠状とされる
ことを特徴とする請求項６に記載の生ごみ処理器。
【考案の詳細な説明】
【技術分野】
【０００１】
本考案は、生ごみを分解して減量化を図る生ごみ処理器に関するものである。
【背景技術】
【０００２】
従来、残飯などの生ごみは、燃えるゴミとして捨てられ焼却されていた。しかし、近年、焼却するゴミの量を減らすため、生ごみ処理機を使用して生ごみを分解して減量化することが行われている。生ごみ処理機としては、ヒーターを使用するものや、菌床材を使用して生ごみを減量するものがある。
【考案の開示】
【考案が解決しようとする課題】
【０００３】
しかしながら、ヒーターを使用する場合、高価となり、また大型となっていた。
また、菌床材を使用するタイプでは、プラスチック容器内に菌床材を入れておき、この容器内に生ごみを投入していくが、容器内の湿度が高くなると臭いが発生したり、虫が発生したりしていた。そして、従来のように、生ごみをプラスチック容器に直接入れる場合、生ごみを容器から一旦取り出して乾燥させることは容易ではなかった。
このように、各家庭で簡単に生ごみを処理することができず、一般家庭における生ごみの処理はなかなか普及しなかった。
【０００４】
本考案は、上記事情に鑑みてなされたものであり、その主たる目的は、家庭で簡単に、しかも省スペースで生ごみを処理可能な生ごみ処理器を提供することにある。
【課題を解決するための手段】
【０００５】
本考案は、前記課題を解決するためになされたものであり、請求項１に記載の考案は、生ごみとこの生ごみを分解する菌床材とが入れられる通気性を有した袋体と、この袋体を出し入れ可能に収容する蓋付きボックスとを備えたことを特徴とする生ごみ処理器である。
【０００６】
請求項２に記載の考案は、前記袋体は、不織布により形成されていることを特徴とする請求項１に記載の生ごみ処理器である。
【０００７】
請求項３に記載の考案は、前記ボックスは、紙で形成されており、ボックス内部および外部は、防水加工が施されていることを特徴とする請求項１または請求項２に記載の生ごみ処理器である。
【０００８】
請求項４に記載の考案は、前記蓋付きボックスは、組立可能に段ボールで形成されていることを特徴とする請求項３に記載の生ごみ処理器である。
【０００９】
請求項５に記載の考案は、前記ボックスの蓋には、開口部が形成されており、この開口部は不織布にて塞がれていることを特徴とする請求項１から請求項４までのいずれかに記載の生ごみ処理器である。
【００１０】
請求項６に記載の考案は、前記ボックスは、台座に着脱可能に載せ置かれることを特徴とする請求項１から請求項５までのいずれかに記載の生ごみ処理器である。
【００１１】
請求項７に記載の考案は、前記ボックスは、側壁と、この側壁の底部に設けられる底壁とから構成され、前記側壁は、長方形状の紙片により筒状に形成されてなり、前記底壁は、前記側壁の底部を塞ぐ紙片と、この紙片の外端辺から延出する取付片とからなり、前記取付片が前記側壁の外面に固定されることで側壁と底壁とが一体化され、前記側壁の上部開口を塞ぐ蓋が側壁に開閉可能に設けられ、前記側壁の上端部には、帯状の紙製の補強材が巻着されており、前記台座は、十字に配置される二つの基台から構成され、各基台は、コ字形に屈曲された紙片が二つ組み合わされた長方形状の枠状とされることを特徴とする請求項６に記載の生ごみ処理器である。
【考案の効果】
【００１２】
本考案の生ごみ処理器によれば、容易に、且つ、省スペースで生ごみを処理することができる。
【考案を実施するための最良の形態】
【００１３】
以下、本考案の生ごみ処理器について、実施例に基づき更に詳細に説明する。
【００１４】
図１は、本考案の生ごみ処理器の一実施例を示す斜視図である。また、図２は、図１の生ごみ処理器の分解斜視図である。さらに、図３は、図１の生ごみ処理器の使用状態を示す断面図である。
【００１５】
本実施例の生ごみ処理器は、生ごみ９０が投入される袋体１と、この袋体１を収容するボックス７とから構成される。
袋体１は、通気性を有する素材により形成されている。本実施例の袋体１は、不織布により巾着袋状に形成されており、その上部開口が紐３により開閉可能とされている。
【００１６】
この袋体１には、内部に微生物を含む菌床材５が入れられる。この菌床材５に含まれる好気性で働く微生物と通性嫌気の状態で働く微生物が状況に応じた中で酵素を作り出し有機物を分解する。そして、酵素分解のため、タンパク質を分解する際にアンモニアなどの悪臭物質を発生させることがない。
【００１７】
本実施例のボックス７は、上方にのみ開口する箱形状とされ、ボックス７には、この上部開口を塞ぐ蓋２３が開閉可能に設けられている。
本実施例のボックス７は、平面視正八角形状とされる。また、ボックス７は、上方へ行くに従って広がるすり鉢状に形成されている。本実施例では、ボックス７は、台座３７に着脱可能に載せ置かれている。
【００１８】
ボックス７、蓋２３および台座３７は、紙により形成されており、本実施例では段ボールにより組立可能に構成されている。つまり、本実施例のボックス７、蓋２３および台座３７は、図４に示すように、段ボール１００から切り取られる各紙片を組み合わせることで作成することが可能である。
【００１９】
以下、ボックス７、蓋２３および台座３７の具体的な構成について説明する。
【００２０】
ボックス７は、側壁９と底壁１１とから構成される。
側壁９は、略長方形の紙片１３が折り曲げられて八角形の筒形状に形成される。つまり、側壁９は、矩形状の８枚の小片（Ａ面〜Ｈ面）が連接された紙片１３により八角形の筒状に構成される。なお、前記紙片１３の一端部には、接合部１５が一体に形成されており、この接合部１５が紙片１３の他端部に重ね合わされて貼着される。また、前記各小片（Ａ面〜Ｈ面）の上端辺は、下端辺より若干長い。これにより、上述したように、紙片１３により側壁９が形成された際、上方へ行くに従って拡がる筒状となる。ところで、側壁９は、その上下方向が段ボールのリブの延出方向となるように形成されている。つまり、側壁９の横断面において、波形のリブが視認される。
【００２１】
底壁１１は、側壁９の下端部に対応した八角形の紙片１７と、この紙片１７の各辺から外側へ延出する矩形状の取付片１９，１９，…とから構成される。
この底壁１１に、筒状に形成された側壁９が載せ置かれ、底壁１１の各取付片１９が側壁９の外面に沿うように屈曲され、各外面（Ａ面〜Ｈ面）にそれぞれ両面テープ等で固定される。このようにして側壁９に底壁１１が固定されて一体化されボックス７が形成される。
【００２２】
側壁９の上端部には、帯状の補強材２１が設けられる。
具体的には、側壁９のＨ面を除くＡ面〜Ｇ面に沿って矩形帯状の補強材２１が巻かれて固定される。この補強材２１も紙で形成されており、本実施例では、段ボールで形成されており、両面テープで側壁９に固定される。この補強材２１を取り付けることで、ボックス７の強度が強くなり、ボックス７の歪みも防止できる。
【００２３】
ボックス７に設けられる蓋２３は、側壁９の上端部に対応した八角形の紙片２５と、その一辺から外方へ延出して設けられる矩形状の支持片２７とから構成される。
この支持片２７が、側壁９のＨ面上部に両面テープ等で固定されることで、蓋２３がボックス７に取り付けられ、この支持片２７を支点として蓋２３はボックス７に対して揺動可能とされる。
【００２４】
また、蓋２３の中央部は、八角形に切り抜かれており、この八角形の開口部２９には、不織布３１が設けられて塞がれている。
さらに、蓋２３の裏面には、支持片２７が設けられた一辺を除く他の七辺の外周縁に沿って係合部３３が設けられる。本実施例の係合部３３は、蓋２３の厚さ方向に沿って、細長い長方形状の段ボール３５が４枚積層された構成とされ、蓋２３の裏面の外周縁に沿って配置され固定されている。そして、この係合部３３は、蓋２３を閉じた状態では、前記補強材２１を囲うように補強材２１の外側に配置される。
【００２５】
本実施例の台座３７は、二つの基台３９，４０から構成される。各基台３９，４０は、長方形の枠状とされる。基台３９は、一対の紙片４１，４１が組み合わされることで形成され、基台４０は、一対の紙片４３，４３が組み合わされて形成される。
【００２６】
各紙片４１，４３は、細長い長方形状とされ、その両端部４１ａ，４３ａは、幅方向の一方向へのみ延出して若干幅広に形成されている。また、一対の紙片４１，４１のうち、一方の紙片４１の両端部４１ａには、切込み４１ｂが形成されており，他方の紙片４１の両端部４１ａには、切込み４１ｂ´が形成されている。切込み４１ｂと切込み４１ｂ´とは、切り込まれる方向が逆とされる。
同様に、一対の紙片４３，４３の両端部には、それぞれ切込み４３ｂ，４３ｂ´が形成されている。
【００２７】
さらに、各紙片４１，４３の中央部には、長手方向に離間して幅方向に沿ってそれぞれ切込み４１ｃ，４３ｃが２ヵ所形成されている。なお、紙片４１の切込み４１ｃと、紙片４３の切込み４３ｃとは、切り込まれる方向が逆とされる。
【００２８】
一対の紙片４１，４１は、その各両端部４１ａ，４１ａが直角に屈曲されてそれぞれコ字形状に形成される。このコ字形状に屈曲された紙片４１，４１同士が、各開放両端部同士を突き合わせるように配置される。そして、一方の紙片４１の切込み４１ｂに、他方の紙片４１の切込み４１ｂ´が差し込まれ連結されて、長方形の枠状の基台３９を構成する。
同様に、一対の紙片４３，４３とが連結されて基台４０を構成する。
【００２９】
そして、一方の基台３９に対して他方の基台４０が、直角に交わるように配置され、中央に形成された切込み同士４１ｃ，４３ｃが入り込み、十字状の台座３７が構成される。
このように構成された台座３７に、ボックス７が着脱可能に載せ置かれる。この際、各基台３９，４０の両端部、つまり紙片４１，４３の両端部４１ａ，４３ａがボックス７の側壁９を挟み込むようにボックス７が台座３７に載せ置かれる。
【００３０】
ボックス７、蓋２３および台座３７を構成する段ボール１００の表裏面は、ＰＰ加工が施されており、防水性を有する。また、ボックス内部において、側壁９と底壁１１との境界部分には、ボンドなどが塗布されて、防水加工が施されている。さらに、側壁９の接合部分、つまりＡ面とＨ面との接合部分には、テープ（不図示）が貼着されて防水加工が施されている。
【００３１】
本実施例の生ごみ処理器を使用して、生ごみを分解処理する場合、まず、ボックス７の中に収容された袋体１の中に、菌床材５を入れておく。そして、この袋体１に生ごみ９０を入れていき、適宜シャベルなどで攪拌する。これにより、袋体１に入れられた生ごみ９０は、菌床材５の作用によりスムーズに分解されていく。
【００３２】
ところで、袋体１内の湿気（湿度）が高くなっている場合には、袋体１をボックス７から取り出し、乾燥させればよい。そして、乾燥させた後、再び袋体１をボックス７内に戻せばよい。本実施例では、生ごみ９０を袋体１に入れる構成としており、この袋体１はボックス７から取り出し可能とされていることから、容易にその乾燥を行うことができる。
そして、本実施例では、容易に乾燥させることができることで、臭いの発生を防ぐことができ、虫の発生も抑制することが可能とされる。
【００３３】
また、本実施例のボックス７の蓋２３には、不織布３１が設けられていることで、ボックス７内の湿気は外部へ放出されるので、ボックス７の結露が防止される。さらに、ボックス７は、段ボールにより形成されているので、強度も強く、保温性にも優れ、菌の活動を活発にすることができる。また、ボックス７は、台座３７に載せ置かれていることで、直に湿気が床に伝わることがない。そして、本実施例の生ごみ処理器は、ボックス７および袋体１が、段ボールや不織布により形成されており、廃棄処理する場合、通常の燃えるゴミとして捨てることができ、その処理も容易である。
【００３４】
本考案の生ごみ処理器は、上記実施例の構成に限らず、適宜変更可能である。
例えば、上記実施例では、ボックスは、平面視八角形とされたが、六角形、十二角形などでもよく、円筒形であっても構わない。また、袋体は、不織布により形成されたが、通気性を有する他の素材で形成してもよい。
【図面の簡単な説明】
【００３５】
【図１】本考案の生ごみ処理器の一実施例を示す斜視図である。
【図２】図１の生ごみ処理器の分解斜視図である。
【図３】図１の生ごみ処理器の使用状態を示す断面図である。
【図４】図１の生ごみ処理器の蓋付きボックスおよび台座を構成する紙片が段ボールから切り取られる状態を示す図である。
【符号の説明】
【００３６】
１  袋体
５  菌床材
７  ボックス
９  側壁
１１  底壁
２１  補強材
２３  蓋
２９  開口部
３１  不織布
３７  台座
９０  生ごみ
【図１】
0003114732.tif 000003
【図２】
0003114732.tif 000004
【図３】
0003114732.tif 000005
【図４】
0003114732.tif 000006